(57)【要約】【課題】送信元情報等の付加情報を画像データに付加して送信するに際し、付加情報が画像データの余白以外の部分に重なることを防止することが可能な画像送信装置を提供する。【解決手段】画像送信装置（デジタル複合機１で例示）は、画像データをプレビュー表示するタッチパネル１０等の画像表示部を備え、画像データに付加情報を付加して送信することが可能となっている。デジタル複合機１は、プレビュー表示された画像データに対して付加情報が付加される付加位置を示す情報を、プレビュー表示時に画像表示部に表示させるパネル制御部１１等の表示制御部を備える。【選択図】図２
2010021855.tif 000002
【特許請求の範囲】
【請求項１】
画像データをプレビュー表示する画像表示部を備え、前記画像データに付加情報を付加して送信することが可能な画像送信装置において、
前記画像表示部でプレビュー表示された画像データに対して前記付加情報が付加される付加位置を示す情報を、前記プレビュー表示時に前記画像表示部に表示させる表示制御部を備えたことを特徴とする画像送信装置。
【請求項２】
前記表示制御部は、前記画像表示部で前記画像データの全体をプレビュー表示させた状態で、前記付加位置を示す情報を前記画像表示部に表示させることを特徴とする請求項１に記載の画像送信装置。
【請求項３】
前記表示制御部は、前記付加位置を示す情報の表示領域とは別の表示領域に、前記付加情報を表示させることを特徴とする請求項２に記載の画像送信装置。
【請求項４】
前記表示制御部は、前記付加位置を示す情報として、前記付加情報を前記付加位置に表示させることを特徴とする請求項１〜３のいずれか１項に記載の画像送信装置。
【請求項５】
前記付加情報は、送信者の名称の情報、送信元の電話番号の情報、送信元の電子メールアドレスの情報、送信時の日時情報のうち、いずれか１又は複数を含むことを特徴とする請求項１〜４のいずれか１項に記載の画像送信装置。
【請求項６】
前記表示制御部は、ユーザ操作に応答して、前記画像表示部に前記付加位置を変更させるための所定のグラフィカルユーザインターフェース画像を表示させ、
該所定のグラフィカルユーザインターフェース画像は、前記付加位置をヘッダ位置とするのか或いはフッタ位置とするのかを選択させるための画像、前記付加位置を左右に移動させるための画像、前記付加位置を上下に移動させるための画像、前記付加情報の文字サイズ及び／又は文字フォントを変更させるための画像、のうちいずれか１又は複数を含むことを特徴とする請求項１〜５のいずれか１項に記載の画像送信装置。
【請求項７】
前記画像送信装置は、前記画像データをファクシミリ送信する機能及び／又は前記画像データをインターネットファクシミリ送信する機能を有することを特徴とする請求項１〜６のいずれか１項に記載の画像送信装置。
【発明の詳細な説明】
【技術分野】
【０００１】
本発明は、送信する画像データをプレビュー表示することが可能な画像送信装置に関する。
【背景技術】
【０００２】
従来から、ファクシミリ装置やインターネットファクシミリ装置、或いはそのいずれか一方又は双方を備えた複合機などの画像送信装置において、送信対象の画像データをプレビュー表示する機能が備わっているものがある。
【０００３】
例えば、特許文献１には、ファクシミリ送信イメージをプレビュー表示することが可能な電子メール−ファクシミリ通信装置が開示されている。また、特許文献２には、画像形成する用紙に後処理を施したときの状態を示す仕上がり画像を表示する画像形成装置が開示されている。
【０００４】
ところで、ファクシミリ送信やインターネットファクシミリ送信を行う場合には、送信対象画像データのヘッダ又はフッタに送信元（発信元）情報や日時情報等の付加情報が付加された状態で、送信がなされている。
【特許文献１】特開２００１−３１３６６４号公報
【特許文献２】特開２００３−８７５６０号公報
【発明の開示】
【発明が解決しようとする課題】
【０００５】
しかしながら、このような付加情報の付加位置の誤設定や、実際に付加した際に送信する画像データの余白以外の部分に重なることで、画像データの一部が読み取れなくなるという課題がある。そして、この課題は、特許文献１，２のような画像データをプレビュー表示により表示画面で確認するだけの技術では解決できるものではない。
【０００６】
本発明は、上述のような実状に鑑みてなされたものであり、送信元情報等の付加情報を画像データに付加して送信するに際し、付加情報の付加位置の誤設定や付加情報が画像データの余白以外の部分に重なることを防止することが可能な画像送信装置を提供することを、その目的とする。
【課題を解決するための手段】
【０００７】
上述の課題を解決するために、本発明の第１の技術手段は、画像データをプレビュー表示する画像表示部を備え、前記画像データに付加情報を付加して送信することが可能な画像送信装置において、前記画像表示部でプレビュー表示された画像データに対して前記付加情報が付加される付加位置を示す情報を、前記プレビュー表示時に前記画像表示部に表示させる表示制御部を備えたことを特徴としたものである。
【０００８】
第２の技術手段は、第１の技術手段において、前記表示制御部は、前記画像表示部で前記画像データの全体をプレビュー表示させた状態で、前記付加位置を示す情報を前記画像表示部に表示させるとしたものである。
【０００９】
第３の技術手段は、第２の技術手段において、前記表示制御部は、前記付加位置を示す情報の表示領域とは別の表示領域に、前記付加情報を表示させるとしたものである。
【００１０】
第４の技術手段は、第１〜第３のいずれかの技術手段において、前記表示制御部は、前記付加位置を示す情報として、前記付加情報を前記付加位置に表示させることを特徴としたものである。
【００１１】
第５の技術手段は、第１〜第４のいずれかの技術手段において、前記付加情報は、送信者の名称の情報、送信元の電話番号の情報、送信元の電子メールアドレスの情報、送信時の日時情報のうち、いずれか１又は複数を含むことを特徴としたものである。
【００１２】
第６の技術手段は、第１〜第５のいずれかの技術手段において、前記表示制御部は、ユーザ操作に応答して、前記画像表示部に前記付加位置を変更させるための所定のグラフィカルユーザインターフェース画像を表示させ、該所定のグラフィカルユーザインターフェース画像は、前記付加位置をヘッダ位置とするのか或いはフッタ位置とするのかを選択させるための画像、前記付加位置を左右に移動させるための画像、前記付加位置を上下に移動させるための画像、前記付加情報の文字サイズ及び／又は文字フォントを変更させるための画像、のうちいずれか１又は複数を含むことを特徴としたものである。
【００１３】
第７の技術手段は、第１〜第６のいずれかの技術手段において、前記画像送信装置は、前記画像データをファクシミリ送信する機能及び／又は前記画像データをインターネットファクシミリ送信する機能を有することを特徴としたものである。
【発明の効果】
【００１４】
本発明によれば、送信元情報等の付加情報を画像データに付加して送信するに際し、付加情報の付加位置の誤設定や付加情報が画像データの余白以外の部分に重なることを防止することが可能になる。
【発明を実施するための最良の形態】
【００１５】
以下、本発明を実施するための最良の形態について図面を参照して説明する。以下、本発明に係る画像送信装置をプリント機能、コピー機能、ファクシミリ送受信機能等を有するデジタル複合機に適用した形態について、その実施の形態を示す図面に基づいて具体的に説明する。
【００１６】
＜装置構成＞
図１は、本発明の一実施形態に係る画像送信装置の一例としてのデジタル複合機を用いて構築される画像処理システムの構成例を示す模式図である。図１において、１はデジタル複合機、２、３は外部コンピュータ、４はインターネットファクシミリ装置（インターネットＦＡＸ装置）、５はファクシミリ装置である。
【００１７】
デジタル複合機１は、プリント機能、コピー機能の他に、画像データをファックスで送受信する機能（ファクシミリ機能）及び／又は画像データをインターネットＦＡＸで送受信する機能（インターネットＦＡＸ機能）を有する。このデジタル複合機１には、通信網を介して各種の外部機器が接続されている。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続されている。また、公衆電話回線網ＰＮを介して外部のファクシミリ装置５が接続されている。なお、上述したように、本発明に係る画像送信装置をデジタル複合機１に適用した場合についてのみ説明するが、本発明に係る画像送信装置としては、外部コンピュータ２、３、インターネットＦＡＸ装置４、ファクシミリ装置５のいずれも適用できる。
【００１８】
以下、このデジタル複合機１の構成及び動作について説明する。図２は、図１のデジタル複合機の構成例を示す概略ブロック図で、図３は、図２のデジタル複合機におけるタッチパネル及びキー操作部の一例を示す外観図である。
【００１９】
図２で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、及びモデム２４を備えている。
【００２０】
メイン制御部１８はＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内にはメイン制御部１８から読み出し可能なように、プログラム（ファームウェア）と各種設定データとが格納されている。このうち少なくとも各種設定データは書き換え可能なメモリに格納されている。また、これらのプログラムや各種設定データは、後述する画像記憶部１５の構成例としてのハードディスクに記憶してもよい。また、制御用バッファ２２はＲＡＭ（Random Access Memory）等の揮発性メモリで構成される。
【００２１】
上述のプログラムは、本発明に係る後述のプレビュー画像の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として、後述の各種設定データを適宜参照しながら実行される。
【００２２】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。画像処理の例については後述する。上述のＡＳＩＣには符号化／復号部１７等の他の部位も組み込んでよい。
【００２３】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００２４】
符号化／復号部１７は、画像データを符号化により圧縮すると共に、符号化画像データを元の画像データに復号（伸張）する。例えば、符号化／復号部１７は原稿を読み取った画像データの符号化、その符号化データの復号、外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００２５】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００２６】
記録部１２は、電子写真方式やインクジェット方式などの印刷方式を採用したプリンタ装置を備え、画像記憶部１５に記憶された画像データなどを、記録用紙に記録（つまり印刷）する。
【００２７】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００２８】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００２９】
タッチパネル１０又はキー操作部２０は、原稿の読み取り処理、画像データ送信、印刷等の処理の中から所望の処理を選択するための操作、その処理を開始するための操作、各処理を実行する際に必要となる設定を行うための操作（選択操作又は入力操作）などを受け付ける。この設定としては、例えば印刷時の印刷枚数の設定、ファクシミリ画像や電子メールの送信時の相手先情報の設定など、様々挙げられる。
【００３０】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００３１】
タッチパネル１０の表示部には、現在の動作状態や設定情報（例えば送信先等）などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリ又は制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００３２】
タッチパネル１０上で受けたユーザ操作はパネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けても良く、その場合、キー操作部２０のみでユーザ操作を受け付ける。
【００３３】
タッチパネル１０及びキー操作部２０は、図３で例示するような操作パネル３０として構成してもよく、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図１の構成においてタッチパネル１０及びキー操作部２０の代わりにタッチパネル３２及びキー操作部３１を当てはめて、本発明の詳細について説明する。
【００３４】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００３５】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００３６】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００３７】
読取部１３は、原稿台又は自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００３８】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。画像処理部１６は、これらの原稿判別処理及び白黒／カラー原稿判別処理の結果として、判別信号（以下、原稿判定データという）を出力する。領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００３９】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データと関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００４０】
＜印刷動作＞
上述した原稿読み取り動作により、読み取った原稿の画像データのファイリングまでは完了する。次に、読み取った原稿の画像データを印刷する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００４１】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００４２】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００４３】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。二色化処理としては、ＲＧＢデータから指定の二色（この場合、赤色と黒色）を表現するＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００４４】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００４５】
中間調生成処理後のＣＭＹＫデータは記録部１２に渡される。記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。なお、ここで説明した印刷動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データの印刷動作については後述する。
【００４６】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。プレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００４７】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。プレビュー用画像処理としては、以下にその概略を説明するように、画質調整処理、二色化処理、色補正処理、空間フィルタ処理、変倍処理、及び出力階調補正処理などが挙げられる。空間フィルタ処理及び出力階調補正処理は、領域分離データが示す各種領域に応じた処理となる。
【００４８】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００４９】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、操作パネル３０でユーザ操作により設定されたプレビュー表示倍率に基づいて画像拡大処理や画像縮小処理を行う。プレビュー表示倍率とは、例えば２倍、４倍等の固定倍率であって、プレビュー表示時の画像の倍率である。勿論、プレビュー表示倍率はユーザ操作により得られた倍率に限らず、プレビュー表示倍率に対する操作がなかった場合にはデフォルト設定の倍率となる。
【００５０】
画像処理部１６に設けたプレビュー画像生成部１６ａは、主にこのようなプレビュー表示用の変倍処理によりプレビュー表示用の画像（プレビュー画像）を生成する。
【００５１】
出力階調補正処理としては、プレビュー画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【００５２】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。生成されたＣＭＹＫデータは、後段の色補正処理において、タッチパネル３２の表示特性に基づいてＲ′Ｇ′Ｂ′データに変換される。
【００５３】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。なお、ここで説明したプレビュー表示動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データのプレビュー表示動作については後述する。
【００５４】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理及びプレビュー表示時の縮小／拡大率に応じた変倍処理を行って、タッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。
【００５５】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、後述するファクシミリ送信やインターネットＦＡＸ送信等の画像データ送信時にも適用することができる。
【００５６】
＜ファクシミリ受信した画像データの印刷動作＞
次に、ファクシミリ通信により受信した画像データの印刷動作について説明する。メイン制御部１８は、モデム２４でファクシミリ通信要求を検知したときに、記録部１２、画像記憶部１５、画像処理部１６、ＮＣＵ２３、及びモデム２４などに指示を行い、次に説明するような処理を実行させる。
【００５７】
まず、モデム２４及びＮＣＵ２３は、通信手続きを行いながら送信元から送信されてくる画像データ（圧縮画像データ）を順次受信し、受信した圧縮画像データの伸張を行うと共に、必要に応じて回転処理（送信方向を回転させる処理）や解像度変換処理などを実行して、画像処理部１６に渡す。
【００５８】
ファクシミリ通信により受信した画像データは白黒２値であるので、画像処理部１６では、伸張等の処理を行った画像データ（Ｋデータ）に対して、特に処理を施さず、そのまま記録部１２に渡される。記録部１２は、この画像データを受け取り、電子写真方式やインクジェット方式などにより印刷を実行する。
【００５９】
モノクロ画像でのファクシミリ受信について説明したが、カラーのファクシミリ画像（ＲＧＢデータ）を受信した際には、画像処理部１６がここで説明したファクシミリ受信用画像処理をこのＲＧＢデータに対して実行するなどすればよい。
【００６０】
＜ファクシミリ受信した画像データのプレビュー表示動作＞
ファクシミリ通信により受信した画像データのプレビュー表示動作について、同画像データの印刷動作に基づき簡単に説明する。このプレビュー表示動作は、受信した画像データを事前に確認してから印刷を実行するような事前設定やユーザ操作があったときなどに行われる。このプレビュー表示動作では、画像処理部１６が、伸張等の処理を施した後の画像データに対して、さらにタッチパネル３２の画素数（表示解像度）に合わせた変換処理及びプレビュー表示時の縮小／拡大率に応じた変倍処理を行い、変倍処理後の画像データがタッチパネル３２に表示されることになる。ユーザは、このプレビュー表示された画像を確認して、印刷を実行するか破棄するかを判断して、印刷又は破棄の操作を行うことができる。
【００６１】
＜ファクシミリ送信動作＞
次に、読み取った原稿の画像データをファクシミリ送信する場合の送信動作について説明する。ファクシミリ画像データは、タッチパネル３２又はキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【００６２】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【００６３】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【００６４】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【００６５】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００６６】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【００６７】
そして、本発明のデジタル複合機１は、送信対象の画像データに送信元情報（発信元情報）等の付加情報を付加して送信することが可能となっている。画像データに付加された付加情報は付加画像であると言える。この付加情報は制御用メモリ１９に格納しておけばよい。また、付加情報を複数、制御用メモリ１９に格納しておくと共に、付加設定情報を制御用メモリ１９に格納しておくとよい。この付加設定情報としては、送信対象の画像データに対して付加する位置（以下、付加位置という）を示す情報を少なくとも含み、複数の付加情報が格納されている場合にはそのいずれを選ぶかの情報も含むものとする。
【００６８】
付加情報を付加してファクシミリ送信する場合には、次のような合成処理を行えばよい。メイン制御部１８が付加情報及び付加位置を示す情報を読み出して、メイン制御部１８又は画像処理部１６が画像データに変換し、画像処理部１６が、変換後の画像データ（付加情報の画像データ）を、変倍処理後の画像データである付加先の画像データに対し上記付加位置に合成すればよい。本発明のデジタル複合機１では、付加情報の画像データを変倍処理後の画像データに対して付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【００６９】
＜ファクシミリ送信する画像データのプレビュー表示動作＞
本発明のデジタル複合機１では、ファクシミリ送信等で送信対象となった画像データについてプレビュー表示を可能にする構成が必須となる。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてはメイン制御部１８はパネル制御部１１への指示も行う。
【００７０】
このプレビュー表示動作では、画像処理部１６が、画質調整処理、空間フィルタ処理、及び変倍処理まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理及びプレビュー表示時の縮小／拡大率に応じた変倍処理を行うことでプレビュー画像のデータを生成する。なお、このプレビュー表示動作では、空間フィルタ処理は実行されなくてもよく、また中間調生成処理は実行されない。
【００７１】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【００７２】
さらに、本発明のデジタル複合機１では、パネル制御部１１が、プレビュー表示された画像データに対して付加情報が付加される位置（付加位置）を示す情報を、プレビュー表示時にタッチパネル３２に表示させる制御を行う。そのため、プレビュー画像生成部１６ａが、付加位置を示す情報を送信対象の画像データのプレビュー画像に合成して、付加位置付きのプレビュー画像を生成する。
【００７３】
具体的に説明すると、送信対象の画像データと共に付加位置を示す情報をプレビュー表示する場合、次のような合成処理を行えばよい。メイン制御部１８が付加設定情報のうち付加する付加情報の付加位置を示す情報を制御用メモリ１９から読み出して、メイン制御部１８又はプレビュー画像生成部１６ａがその情報が示す付加位置の領域を表現可能な画像データに変換し、プレビュー画像生成部１６ａが、変換後の画像データ（付加位置の領域を示す画像データ）を、変倍処理後の画像データである付加先の画像データに対し上記付加位置に合成すればよい。この合成後の画像データは、上述したプレビュー表示時の出力階調補正処理（画像データを表示するための出力γ補正処理）が施された後に、パネル制御部１１によりＧＵＩ画像に組み込まれてタッチパネル３２に表示されることになる。
【００７４】
付加位置を示す情報としては、付加情報の画像そのものを付加位置に合成し、その合成した付加情報付きのプレビュー画像をプレビュー表示してもよい。付加情報を付加してプレビュー表示する場合は、メイン制御部１８が付加位置を示す情報の他に付加情報自体を制御用メモリ１９から読み出して、メイン制御部１８又はプレビュー画像生成部１６ａが付加情報を画像データに変換し、プレビュー画像生成部１６ａが、変換後の画像データ（付加情報を示す画像データ）を、変倍処理後の画像データである付加先の画像データに対し上記付加位置に合成すればよい。この合成後の画像データは、上述したプレビュー表示時の出力階調補正処理（画像データを表示するための出力γ補正処理）が施された後に、パネル制御部１１によりＧＵＩ画像に組み込まれてタッチパネル３２に表示されることになる。
【００７５】
また、プレビュー表示動作についてファクシミリ送信動作と別個に説明したが、付加位置を示す情報として付加情報の画像そのものを付加位置に付加した状態でプレビュー表示を行う場合には、次のような処理手順を採用することもできる。まず、画像処理部１６が、ファクシミリ送信動作として出力階調補正処理を施した後の画像データ（付加情報が合成されたＫデータ又はＬ＊ａ＊ｂ＊データ）を、タッチパネル３２の表示特性に基づいてＲ′Ｇ′Ｂ′データに変換し、タッチパネル３２の画素数（表示解像度）に合わせた変換処理及びプレビュー表示時の縮小／拡大率に応じた変倍処理を行って、タッチパネル３２に渡す。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【００７６】
＜インターネット経由による画像データの送信動作＞
次に、読み取った原稿の画像データを、インターネット経由による電子メール又はインターネットＦＡＸで送信する場合の送信動作について説明する。このようなインターネット経由での送信で対象となる画像データについても、タッチパネル３２又はキー操作部３１でのユーザ操作により設定されて制御用メモリ１９に格納された送信先情報（この例では電子メールアドレス）に対して送信される。
【００７７】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【００７８】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【００７９】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００８０】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【００８１】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【００８２】
また、本発明のデジタル複合機１は、送信対象の画像データがインターネット経由で送信する画像データであっても、ファクシミリ送信画像データの場合と同様に、付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【００８３】
＜インターネット経由で送信する画像データのプレビュー表示動作＞
ファクシミリ送信時のプレビュー表示について説明したのと同様に、本発明のデジタル複合機１は、インターネット経由で送信する対象となった画像データも、タッチパネル３２でプレビュー表示可能に構成することができる。
【００８４】
このプレビュー表示動作では、ファクシミリ送信時のプレビュー表示について説明したのと同様に、画像処理部１６が、画質調整処理、空間フィルタ処理、及び変倍処理まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像に組み込まれてタッチパネル３２に表示されることになる。また、付加位置を示す情報又は付加情報の合成についても、ファクシミリ送信時のプレビュー表示についての説明が援用できる。
【００８５】
＜本発明に係る、画像データ送信前のプレビュー表示の説明＞
以上、ファクシミリ送信時やインターネット経由の画像データ送信時についてプレビュー表示動作を説明したように、本発明に係るデジタル複合機１では、少なくとも送信対象となった画像データについて、画像記憶部１５から読み出してそのプレビュー画像を生成するプレビュー画像生成部１６ａを有する。プレビュー画像生成部１６ａで生成されたプレビュー画像は、メイン制御部１８の制御によりタッチパネル３２に送られ、パネル制御部１１によりＧＵＩ画像に組み込んで表示する制御がなされ、タッチパネル３２に表示される。このように、タッチパネル３２は、送信対象の画像データをプレビュー表示する画像表示部の一例である。
【００８６】
さらに、上述したように本発明のデジタル複合機１では、メイン制御部１８の制御に基づきパネル制御部１１が、プレビュー表示された画像データに対して付加情報の付加位置を示す情報を、プレビュー表示時にタッチパネル３２に表示させる制御を行う。そのため、プレビュー画像生成部１６ａは、この付加位置を示す情報と送信対象の画像データとからプレビュー画像を生成する。このようにプレビュー画像生成部１６ａ及びパネル制御部１１は、プレビュー表示時に付加位置を示す情報を表示させる制御を、画像表示部に行う表示制御部の一例である。また、上述したように、付加位置を示す情報として付加情報の画像そのものを付加位置に合成し、その合成した付加情報付きのプレビュー画像をプレビュー表示してもよい。
【００８７】
ここで、付加情報としては、送信者の名称の情報、送信元の電話番号の情報、送信元の電子メールアドレスの情報のいずれか１又は複数の送信元情報を含むことが好ましい。また、付加情報としては、送信時の日時情報を含んでもよく、併せて送信元情報も含ませてもよい。また、相手先の情報など、他の付加情報を含ませることもできる。
【００８８】
ユーザは、この付加位置を示す情報（又は付加情報）を含むプレビュー表示された画像を確認して、このままファクシミリ送信を実行するか中止するか、或いは付加位置の変更（又は付加情報の変更）などを実行するかなどを判断して、それに応じた操作を行うことができる。
【００８９】
このように、本発明では、表示画面に送信対象画像データのプレビュー表示を実行する際に、送信元情報等の付加情報が付加される付加位置の情報を表示することができる。従って、付加後の送信画像データの内容を正確に確認してから送信することができ、ユーザの送信設定ミスを防止することが可能となる。特に、送信元情報等の付加情報を画像データに付加して送信するに際し、付加情報の付加位置の誤設定や付加情報が画像データの余白以外の部分に重なることを防止することが可能になる。
【００９０】
＜プレビュー表示の具体例＞
以下、図４〜図１３を参照し、送信対象画像データに付加する付加情報の位置を示す情報について、またそのプレビュー表示の流れについて、その具体例を挙げながら説明する。以下の例ではファクシミリ送信を例に挙げるが、上述したようにインターネットＦＡＸ等でも同様である。
【００９１】
図４は、図２及び図３のデジタル複合機において、ファクシミリ送信ジョブを送る際に、プレビュー表示して内容を確認してから送信する概要を説明するための図である。ここで、図４（Ａ）には、イメージ送信のうちのファックス送信をユーザが選んだときのタッチパネル３２に表示されるＧＵＩ画像の一例（ＧＵＩ画像４１とする）を示している。ＧＵＩ画像４１にはプレビュー確認キー４２を表示しておく。
【００９２】
図４（Ｂ）には、ユーザがこのプレビュー確認キー４２の選択領域を押下することで選択したときに、ＧＵＩ画像４１から遷移してタッチパネル３２に表示されるＧＵＩ画像の一例（ＧＵＩ画像４３とする）を示している。ＧＵＩ画像４３で例示したように、ファクシミリ送信ジョブに含まれる送信対象の画像データを縮小したプレビュー画像４４が、プレビュー画像生成部１６ａによって生成されて表示されている。また、ＧＵＩ画像４３で示すプレビュー確認画面は、ＧＵＩ画像４１においてプレビュー確認キー４２を押下してＯＮにしてから、スタートキー３１ｄを押下することで、送信に先だって表示されるようにしてもよい。
【００９３】
そして、このＧＵＩ画像４３には、送信を開始するための送信開始キー４５と、送信時に付加する付加情報の付加位置をプレビュー表示させるための送信付加情報キー４６とを表示しておく。これにより、付加情報の位置を確認してから送信するか、確認しないでそのまま送信するかを、ユーザが選択することができる。また、ＧＵＩ画像４３には、プレビュー表示している画像データのページを変更するために、最初のページを表示するためのトップページ移動キー４２ａ、現ページの前のページを表示するための前ページ移動キー４２ｂ、現ページを示す情報４２ｃ、現ページの次のページを表示するための次ページ移動キー４２ｄ、及び最後のページを表示するためのラストページ移動キー４２ｅが表示されている。
【００９４】
図５は、図２及び図３のデジタル複合機において、プレビュー表示している送信対象画像データに送信元情報の位置情報を表示させる際の概要を説明するための図である。ここで、図５（Ａ）には、図４（Ｂ）のＧＵＩ画像４３において、送信付加情報キー４６の選択領域を押下して選択したときに、タッチパネル３２に表示されるＧＵＩ画像の一例（ＧＵＩ画像４７とする）を示している。送信付加情報キー４６ａとして示すように、送信付加情報キー４６は押下により反転する。図５（Ａ）に示すＧＵＩ画像４７では、送信元情報の位置を示す情報として、プレビュー画像４４に重ねて送信元情報の表示領域４８が表示されている。この表示領域４８は、プレビュー画像が左右上下への移動や拡大／縮小などにより変更されたとしても、その変更後のプレビュー画像に対応する位置に表示される。この表示領域４８の表示は、各ページ移動キー４２ａ，４２ｂ，４２ｄ，４２ｅによって表示されたページのプレビュー画像に対しても、そのページに送信元情報を表示する設定となっている限り実行される。この例のように、実際に付加する付加情報の内容を示さなくても位置（プレビュー画像４４に対する相対的な位置）だけを示せれば、ユーザはそのまま送信してよいか否かを判断することができる。送信してよいと判断した場合には送信開始キー４５の選択領域を押下すればよい。
【００９５】
しかし、実際に付加する付加情報も表示させておくことが好ましく、ＧＵＩ画像４３から遷移して表示されるそのような例を、図５（Ｂ）のＧＵＩ画像４７ａで示している。ＧＵＩ画像４７ａでは、実際の送信元情報４８ａが付加位置に表示されている。このように、プレビュー画像生成部１６ａ及びパネル制御部１１は、付加位置を示す情報として、付加情報自体を付加位置に（付加位置になるようにプレビュー対象の画像データに合成して）表示させることが好ましい。この送信元情報４８ａは、プレビュー画像が左右上下への移動や拡大／縮小などにより変更されたとしてもその変更後のプレビュー画像に対応する位置に表示され、各ページ移動キー４２ａ，４２ｂ，４２ｄ，４２ｅによって表示されたページのプレビュー画像に対してもそのページに送信元情報を表示する設定となっている限り実行される（他の図面を参照して後述する例でも同様である）。このような送信元情報自体の表示により、ユーザはそのまま送信してよいかの判断をより正しく行うことができる。この例では、送信元情報４８ａとして日時と送信者とＦＡＸ番号とが表示されているが、例えばインターネットＦＡＸや電子メールでの送信の場合にはＦＡＸ番号の代わりに電子メールアドレスを表示すればよい。
【００９６】
また、送信ジョブに送信元情報が付加されている場合を前提に説明したが、付加されていない場合には、ＧＵＩ画像４７又はＧＵＩ画像４７ａの出力は行わずに、付加するか否かを問い合わせる画像、付加する内容を設定する画像、付加できない旨を通知する画像などを表示させてもよい。また、ユーザからの見た目がノーアクションであっても付加情報がないことが分かる。
【００９７】
図６は、図２及び図３のデジタル複合機において、プレビュー表示している送信対象画像データに送信元情報の位置情報を表示させた状態で、その付加位置（表示位置）を調整する際の概要を説明するための図である。
【００９８】
図６（Ａ）には、図５（Ｂ）の代わりに、ＧＵＩ画像４３から遷移して表示される、付加情報の付加位置の調整を可能にするＧＵＩ画像の一例（ＧＵＩ画像４９とする）を示している。ＧＵＩ画像４９には、付加情報調整キー５０が表示されており、ユーザがこの選択領域を押下することで選択すると、図６（Ｂ）に示すＧＵＩ画像５１のように、付加情報（この例では送信元情報）の位置調整のためのポップアップ画像５２が表示される。
【００９９】
このポップアップ画像５２では、文字のフォントの種類や大きさを調整するフォント調整領域５３、上下の位置を調整する上下位置調整領域５４、左右の位置を調整する左右位置調整領域５５、ヘッダに付加するかフッタに付加するかを選択するヘッダ／フッタ選択領域５６、及び閉じるキー５７を選択可能に表示している。閉じるキー５７は設定を終了させる際にその選択領域を押下すればよい。他の領域５３〜５６については後述するが、デジタル複合機１はこれらの調整をそれぞれ単独でのみ可能に構成してもよいし、いずれか複数のみ可能に構成してもよい。つまり、ポップアップ画像５２のように１つのユーザ操作（付加情報調整キー５０の押下操作）によりこれらの全ての調整を一度に可能にするＧＵＩ画像を表示させてもよいし、１つのユーザ操作によりこれらの全ての調整のうち複数の調整を一度に可能にするＧＵＩ画像を表示させてもよい。さらに、調整毎にＧＵＩ画像を用意しておき調整毎に別のユーザ操作により対応するＧＵＩ画像の表示を行ってもよい。
【０１００】
このように、パネル制御部１１は、付加情報調整キー５０の選択で例示した第１のユーザ操作に応答して、タッチパネル３２に、付加位置を変更させるためのＧＵＩ画像を表示させるよう制御することが好ましい。また、この第１のユーザ操作を受けて、メイン制御部１８が制御用メモリ１９内の付加設定情報を更新することで、送信時にその付加設定情報を参照して合成を行うことができる。
【０１０１】
このように、付加位置の情報をプレビューで確認し、位置を変更することを可能に構成することで、ユーザの誤設定を防止又は修正することが可能となる。さらに、ポップアップ画像５２を用いて送信元情報の位置を調整可能にすることで、プレビュー画像４４及び送信元情報４８ａと調整領域とが並列して表示できるため、ポップアップでない場合に比べて位置調整をより容易に行うことができる。
【０１０２】
図７は、図２及び図３のデジタル複合機において、送信元情報の付加位置を上下左右に変更された際に、送信元情報の位置情報が再表示された際の概要を説明するための図である。図７には、図６（Ｂ）のＧＵＩ画像５１中のポップアップ画像５２において、上下位置調整領域５４で上下位置を＋２ｍｍ（上に２ｍｍ）だけ変更し、且つ左右位置調整領域５５で左右位置を＋５ｍｍ（右に５ｍｍ）だけ変更したときのＧＵＩ画像の一例（ＧＵＩ画像５８とする）を示している。ＧＵＩ画像５８中の送信元情報４８ｂがＧＵＩ画像４９，５１の送信元情報４８ｃより、右上に表示されているのが分かる。このように、上下／左右の位置調整の数値に連動して、送信元情報の位置が実際の設定（付加設定情報）だけでなく画面上でも移動する。
【０１０３】
このように、パネル制御部１１は、付加情報調整キー５０の選択で例示した第３のユーザ操作（上記第１のユーザ操作と異なる操作であってもよいため便宜上異なる表現を用いている。以下同様。）に応答して、タッチパネル３２に、左右位置調整領域５５で例示したような付加位置を左右に移動させるためのＧＵＩ画像を表示させるよう制御することが好ましい。また、パネル制御部１１は、付加情報調整キー５０の選択で例示した第４のユーザ操作に応答して、タッチパネル３２に、上下位置調整領域５４で例示したような付加位置を上下に移動させるためのＧＵＩ画像を表示させるよう制御することが好ましい。
【０１０４】
また、調整後のＧＵＩ画像の例示は行わないが、パネル制御部１１は、付加情報調整キー５０の選択で例示した第５のユーザ操作に応答して、タッチパネル３２に、フォント調整領域５３で例示したような付加情報の文字サイズ及び／又は文字フォント（つまりフォントの種類）を変更させるためのＧＵＩ画像を表示させるよう制御することが好ましい。
【０１０５】
図８は、図２及び図３のデジタル複合機において、付加情報の表示色を調整する際の概要を説明するための図で、付加情報の表示色の調整を可能にするＧＵＩ画像上のポップアップ画像の一例（ポップアップ画像６０とする）を示している。なお、図８では省略しているが、このポップアップ画像６０も図６（Ｂ）と同様に、プレビュー表示している送信対象画像データに送信元情報の位置情報を表示させた状態で表示している。
【０１０６】
図８で例示したポップアップ画像６０は、図６（Ｂ）のポップアップ画像５２において、色調整領域５９を色選択可能に設けたものである。色調整領域５９での色選択により、送信元情報の文字色を変更が、付加設定情報に反映される。このように、パネル制御部１１は、付加情報調整キー５０の選択で例示した第６のユーザ操作に応答して、タッチパネル３２に、色調整領域５９で例示したような色を変更させるためのＧＵＩ画像を表示させるよう制御することが好ましい。なお、タッチパネル３２がカラー表示可能であることが調整し易いため好ましい。
【０１０７】
図９は、図２及び図３のデジタル複合機において、プレビュー表示している送信対象画像データに送信元情報の位置情報を表示させた状態で、その付加位置（表示位置）を大幅に調整する際の概要を説明するための図である。ここで、図９（Ａ）には、図６（Ｂ）のＧＵＩ画像５１と基本的に同じＧＵＩ画像６１を示しているが、ヘッダ／フッタ選択領域５６の選択が異なる。ヘッダ／フッタ選択領域５６では、付加情報を画像データのヘッダに付加するのか、若しくはフッタに付加するのかを選択することができる。ヘッダからフッタへの変更又はフッタからヘッダへの変更も位置の変更の一例である。
【０１０８】
より具体的には、ＧＵＩ画像６１は、ヘッダ／フッタ選択領域５６においてフッタが選択され、さらに上下左右の位置をともに０ｍｍとした状態の画像であり、ＧＵＩ画像５１はヘッダが選択された状態の画像である。このような選択・調整後、閉じるキー５７の選択領域の押下により、付加設定情報の更新がなされる。また、それと共に、ＧＵＩ画像６１におけるプレビュー画像４４が上側のみの表示から、図９（Ｂ）のＧＵＩ画像６２のように下側のみの表示（プレビュー画像４４ａとしている）に変更され、且つ、送信元情報４８ｃの位置もフッタで定義される位置に変更されている。
【０１０９】
このように、パネル制御部１１は、付加情報調整キー５０の選択で例示した第２のユーザ操作に応答して、タッチパネル３２に、ヘッダ／フッタ選択領域５６で例示したような、付加位置をヘッダ位置とするのか或いはフッタ位置とするのかを選択させるためのＧＵＩ画像を表示させるよう制御することが好ましい。
【０１１０】
図１０は、図２及び図３のデジタル複合機において、プレビュー表示している送信対象画像データ及び送信元情報の位置情報をできるだけ広い領域で視認しながら、その付加位置を調整する際の概要を説明するための図である。ここで、図１０（Ａ）は図６（Ａ）と同じである。
【０１１１】
このＧＵＩ画像４９において付加情報調整キー５０の選択領域を押下すると、図１０（Ｂ）のように、プレビュー画像４４が表示されている領域に上書きするポップアップ画像ではなく、あまり関係のない他の設定キーの押下領域に上書きして設定画像６４が表示される。設定画像６４としては、ヘッダ／フッタ選択領域６５、上下位置調整領域６６、左右位置調整領域６７、及び閉じるキー６８を含むものを例示している。このように、プレビュー画像や位置情報にできるだけ重ならないように付加情報の変更用の画像を表示させることで、ユーザが変更を行い易くなる。
【０１１２】
次に、画像データ送信時のプレビュー表示の流れについて、図１１を参照しながら説明する。図１１は、図２及び図３のデジタル複合機において、画像データ送信時にプレビュー表示する際の処理の一例を説明するためのフロー図である。
【０１１３】
まず、メイン制御部１８は、読取部１３において原稿台又は原稿送り装置に原稿がセットされているかを確認し（ステップＳ１）、セットされたときに（ステップＳ１でＹＥＳとなったときに）、送信先等の各種設定のユーザ操作を受け付け、その設定を反映させる（ステップＳ２）。次に、メイン制御部１８は読み取り動作開始の指示を待ち（ステップＳ３）、指示を受けたときに原稿読み取りを読取部１３に対して指示する（ステップＳ４）。これにより、読取部１３では原稿の読み取りを開始する。
【０１１４】
続いて、メイン制御部１８は、パネル制御部１１に指示して図４（Ａ）のＧＵＩ画像４１をタッチパネル３２に表示させ、プレビュー確認キー４２が押下されたか否かを判定する（ステップＳ５）。ステップＳ５でＮＯの場合、メイン制御部１８はスタートキー３１ｄによる送信開始の指示を待ち（ステップＳ６）、指示があった時点で原稿の読み取り完了を待ち、その画像データに送信元情報を付加して、送信処理を行うよう各部を制御する（ステップＳ７）。
【０１１５】
一方、ステップＳ５でＹＥＳの場合には、メイン制御部１８は、プレビュー画像生成部１６ａ及びパネル制御部１１に指示して、例えば図４（Ｂ）のＧＵＩ画像４３のようなプレビュー画面に、自動的に切り替えてプレビュー画像４４を表示する（ステップＳ８）。ここで、原稿読み込みと同時に「原稿を読み込み中です。」といったダイアログメッセージを表示し、読み込み原稿の１枚目の画像処理が完了すればプレビュー確認画面に移行するようにしてもよい。また、原稿読み込み途中の場合もプレビュー画像が生成できた時点で移行するようにしてもよいし、全ての原稿読み込み後にプレビュー確認画面に移行するようにしてもよい。
【０１１６】
ステップＳ８に続き、メイン制御部１８は、送信付加情報キー４６の押下があったか否かを判定し（ステップＳ９）、なければ送信開始指示の有無を判定し（ステップＳ１０）、指示があった時点でステップＳ７へ進み、送信処理を行う。ステップＳ１０で指示が無いと判定された場合にはステップＳ９へ戻る。
【０１１７】
また、ステップＳ９でＹＥＳの場合には、メイン制御部１８は、プレビュー画像生成部１６ａ及びパネル制御部１１に指示して図６（Ａ）のＧＵＩ画像４９のようにプレビュー画像４４に対して送信元情報４８ａを表示させ（ステップＳ１１）、付加情報調整キー５０の選択領域の押下を判定する（ステップＳ１２）。ステップＳ９，Ｓ１１に関連し、送信する画像データに対する送信元情報の付加状態を確認するだけで調整の意図がない場合でも、送信付加情報キー４６押下することで、プレビュー画像に送信元情報を付加することができ、付加状態を確認することができる。
【０１１８】
ステップＳ１２で押下が無かった場合には、ステップＳ１０へ進み、押下があった場合には、図６（Ｂ）のＧＵＩ画像５１のようにポップアップ画像５２を表示させ、調整操作を受け付けて調整を反映させる（ステップＳ１３）と共に、送信元情報の再表示を行わせ（ステップＳ１４）、ステップＳ１２へ戻る。
【０１１９】
次に、図１２及び図１３を参照して、送信元情報の位置情報を表示させる他の例について説明する。図１２は、図２及び図３のデジタル複合機において、プレビュー表示している送信対象画像データに送信元情報の位置情報を表示させる他の例を説明するための図である。
【０１２０】
図１２（Ａ）には、ユーザが図４（Ｂ）の送信付加情報キー４６の選択領域を押下することで選択したときに、ＧＵＩ画像４１或いはＧＵＩ画像４３から遷移してタッチパネル３２に表示されるＧＵＩ画像の他の例（ＧＵＩ画像７０とする）を示している。ＧＵＩ画像７０で例示したように、ファクシミリ送信ジョブに含まれる送信対象の画像データを縮小したプレビュー画像７１が、プレビュー画像生成部１６ａによって生成されて表示されている。また、ＧＵＩ画像７０で示すプレビュー確認画面は、ＧＵＩ画像４１においてプレビュー確認キー４２を押下してＯＮにしてから、スタートキー３１ｄを押下することで、送信に先だって表示されるようにしてもよい。
【０１２１】
そして、このＧＵＩ画像７０には、図６（Ａ）のＧＵＩ画像４９等と同様に、送信開始キー４５、反転した送信付加情報キー４６ａ、付加情報調整キー５０、各ページ移動キー４２ａ，４２ｂ，４２ｄ，４２ｅ、現ページを示す情報４２ｃなどが表示されている。
【０１２２】
さらに、ＧＵＩ画像７０では、画像データ全体をプレビュー表示させたプレビュー画像７１に重ねて、送信元情報の位置を示す情報として送信元情報の表示領域７２が表示されている。上述したようにＧＵＩ画像７０の表示は主にプレビュー画像生成部１６ａ及びパネル制御部１１でなされる。なお、この表示領域７２は、プレビュー画像が左右上下への移動や拡大／縮小などにより変更されたとしても、その変更後のプレビュー画像に対応する位置に表示される。この表示領域７２の表示は、各ページ移動キー４２ａ，４２ｂ，４２ｄ，４２ｅによって表示されたページのプレビュー画像に対しても、そのページに送信元情報を表示する設定となっている限り実行される。また、図１２（Ｂ）のＧＵＩ画像７４は、送信元情報がフッタ領域に付される場合のＧＵＩ画像を例示したものであり、プレビュー画像７１の下部に表示領域７５が表示されている。
【０１２３】
このように、プレビュー画像生成部１６ａ及びパネル制御部１１は、タッチパネル３２で画像データの全体をプレビュー表示させた状態で、付加位置を示す情報をタッチパネル３２に表示させることが好ましい。つまり、ヘッダやフッタなどの付加状態を表示する際に、画像データに対する全体の位置関係がわかるように表示することが好ましい。プレビュー画像７１が送信対象の画像データの全体を表しており、且つプレビュー画像７１に対する相対的な位置を表示領域７２で示しているため、付加情報を付加する位置の判断がし易く、ユーザは容易にそのまま送信してよいか否かを判断することができる。送信してよいと判断した場合には送信開始キー４５の選択領域を押下すればよい。
【０１２４】
また、ＧＵＩ画像７０では、その空白領域に「送信元付加位置：ヘッダ」のような付加位置を文字で表現した文字情報７３も表示されている。同様に、ＧＵＩ画像７４では、その空白領域に「送信元付加位置：フッタ」のような付加位置を文字で表現した文字情報７６も表示されている。このような表示により、付加情報を付加する位置の判断がより行い易くなる。特に、プレビュー画像７１は送信対象の画像データの全体を表示しているため、その上部に合成した表示領域７２が何を示すのかが、このデジタル複合機１におけるプレビュー表示機能を使用したことのないユーザには分かり難いこともあるが、このような文字情報７３の表示により表示領域７２がヘッダ領域であることを理解することができる。
【０１２５】
しかし、実際に付加する付加情報も表示させておくことが、付加情報を確認できるため好ましく、ＧＵＩ画像７０の代わりとなるそのような例を、図１３を参照して説明する。図１３は、図２及び図３のデジタル複合機において、プレビュー表示している送信対象画像データに送信元情報の位置情報を表示させる他の例を説明するための図である。
【０１２６】
図１３（Ａ）のＧＵＩ画像７７、図１３（Ｂ）のＧＵＩ画像７９は、それぞれＧＵＩ画像７０、ＧＵＩ画像７４の代わりに表示される画像の例である。ＧＵＩ画像７７及びＧＵＩ画像７９では、実際の送信元情報７８が付加位置とは別に表示されている。このように、プレビュー画像生成部１６ａ及びパネル制御部１１は、付加位置を示す情報の表示領域とは別の表示領域に、付加情報（付加情報の内容）を表示させることが好ましい。なお、ＧＵＩ画像７０やＧＵＩ画像７４において、実際の付加情報（この例では送信元情報）を別途表示させるキー画像を含ませておき、そのキー画像の選択によりＧＵＩ画像７７やＧＵＩ画像７９を表示させてもよい。また、ＧＵＩ画像７７及びＧＵＩ画像７９に、この付加情報の内容を変更するためのキー画像を含ませておき、付加情報自体も変更可能にしておくとよい。また、図１２及び図１３では、プレビュー画像７１の領域外にヘッダ７２、フッタ７５を付加して表示した例を示したが、ヘッダ７２、フッタ７５はプレビュー画像７１に重ねて表示してもよい。
【図面の簡単な説明】
【０１２７】
【図１】本発明の一実施形態に係る画像送信装置の一例としてのデジタル複合機を用いて構築される画像処理システムの構成例を示す模式図である。
【図２】図１のデジタル複合機の構成例を示す概略ブロック図である。
【図３】図２のデジタル複合機におけるタッチパネル及びキー操作部の一例を示す外観図である。
【図４】図２及び図３のデジタル複合機において、ファクシミリ送信ジョブを送る際に、プレビュー表示して内容を確認してから送信する概要を説明するための図である。
【図５】図２及び図３のデジタル複合機において、プレビュー表示している送信対象画像データに送信元情報の位置情報を表示させる際の概要を説明するための図である。
【図６】図２及び図３のデジタル複合機において、プレビュー表示している送信対象画像データに送信元情報の位置情報を表示させた状態で、その付加位置を調整する際の概要を説明するための図である。
【図７】図２及び図３のデジタル複合機において、送信元情報の付加位置を上下左右に変更された際に、送信元情報の位置情報が再表示された際の概要を説明するための図である。
【図８】図２及び図３のデジタル複合機において、付加情報の表示色を調整する際の概要を説明するための図である。
【図９】図２及び図３のデジタル複合機において、プレビュー表示している送信対象画像データに送信元情報の位置情報を表示させた状態で、その付加位置（表示位置）を大幅に調整する際の概要を説明するための図である。
【図１０】図２及び図３のデジタル複合機において、プレビュー表示している送信対象画像データ及び送信元情報の位置情報をできるだけ広い領域で視認しながら、その付加位置を調整する際の概要を説明するための図である。
【図１１】図２及び図３のデジタル複合機において、画像データ送信時にプレビュー表示する際の処理の一例を説明するためのフロー図である。
【図１２】図２及び図３のデジタル複合機において、プレビュー表示している送信対象画像データに送信元情報の位置情報を表示させる他の例を説明するための図である。
【図１３】図２及び図３のデジタル複合機において、プレビュー表示している送信対象画像データに送信元情報の位置情報を表示させる他の例を説明するための図である。
【符号の説明】
【０１２８】
１…デジタル複合機、２，３…外部コンピュータ、４…インターネットＦＡＸ装置、１０，３２…タッチパネル、１１…パネル制御部、１２…記録部、１３…読取部、１４…フォーマット変換部、１５…画像記憶部、１６ａ…プレビュー画像生成部、１７…符号化／復号部、１８…メイン制御部、１９…制御用メモリ、２０，３１…キー操作部、２１…ＬＡＮ制御部、２２…制御用バッファ、２３…ＮＣＵ、２４…モデム、３０…操作パネル、３１…キー操作部。
【図１】
2010021855.tif 000003
【図２】
2010021855.tif 000004
【図３】
2010021855.tif 000005
【図４】
2010021855.tif 000006
【図５】
2010021855.tif 000007
【図６】
2010021855.tif 000008
【図７】
2010021855.tif 000009
【図８】
2010021855.tif 000010
【図９】
2010021855.tif 000011
【図１０】
2010021855.tif 000012
【図１１】
2010021855.tif 000013
【図１２】
2010021855.tif 000014
【図１３】
2010021855.tif 000015